(57)【要約】本発明は、異なるターゲット・グループをリンクする方法に関する。本発明は、情報を規格化することによりターゲット・グループをより簡単かつターゲットを定めた状態でリンクできる。
2004517393.tif 000002
【特許請求の範囲】
【請求項１】
少なくとも１つの製品プロバイダ・システムと１つのビジネス・サービス・プロバイダ・システムとを含む異なるターゲット・グループをリンクする方法において、
（ａ）前記製品プロバイダ・システムと前記ビジネス・サービス・プロバイダ・システムとをリンクする交換ユニットを利用する工程と、
（ｂ）前記製品プロバイダ・システムおよび／または前記ビジネス・サービス・プロバイダ・システムにより交換ユニットに供給される情報を規格化する工程と、
（ｃ）規格化された前記情報をディスプレイする工程と、
を含む異なるターゲット・グループをリンクする方法。
【請求項２】
前記製品プロバイダ・システムおよび／または前記ビジネス・サービス・プロバイダ・システムと前記交換ユニットとの間に位置する第１のエージントにより情報を規格化する請求項１記載の方法。
【請求項３】
前記製品プロバイダ・システムは、少なくとも２つの製品プロバイダを含み、前記製品プロバイダは、それぞれが少なくとも１つの製品を提供する請求項１または２記載の方法。
【請求項４】
前記ビジネス・サービス・プロバイダ・システムは、少なくとも２つのビジネス・サービス・プロバイダを含み、前記サービス・プロバイダは、テレビおよび映画業界のセクタでサービスを提供する請求項１から３のいずれかに記載の方法。
【請求項５】
前記ビジネス・サービス・プロバイダ・システムのビジネス・サービス・プロバイダのために製品を適合させる請求項１から４のいずれかに記載の方法。
【請求項６】
前記交換ユニットにより規定されたフォーマットにより規格化が行われる請求項１から５のいずれかに記載の方法。
【請求項７】
インターネットのホームページまたは自己の通信ネットワークを介して規格化された情報をディスプレイする請求項１から６のいずれかに記載の方法。
【請求項８】
前記ビジネス・サービス・プロバイダおよび／または前記製品プロバイダは、前記第１のエージェントを介して情報を前記交換ユニットに供給する請求項１から７のいずれかに記載の方法。
【請求項９】
前記製品プロバイダ・システムおよび／または前記ビジネス・サービス・プロバイダ・システムにより作成された情報変化を、好ましくは、リアルタイムで時間的に極近くに表示する請求項１から８のいずれかに記載の方法。
【請求項１０】
前記交換ユニットによりリンクするためのサーチ基準は、語義によるサーチ技術に基づく請求項１から９のいずれかに記載の方法。
【請求項１１】
情報のディスプレイを個人固有、すなわち、ユーザ固有および／またはサービス固有のフォームで指定する請求項１から１０のいずれかに記載の方法。
【請求項１２】
自動的および／またはダイナミック・ナビゲーションにより情報のディスプレイが決定される請求項１から１１のいずれかに記載の方法。
【請求項１３】
情報を構成する製品およびサービスを選択および／または除外する入力手段により情報を規格化する請求項１から１２のいずれかに記載の方法。
【請求項１４】
前記入力手段は、タブ状をした情報の選択および／または除外に遭遇する請求項１３記載の方法。
【請求項１５】
タブ要素の起動により選択および／または除外が行われる請求項１３または１４記載の方法。
【請求項１６】
時間限定使用または永久使用を可能にするリンクを使用するための登録が提供される請求項１から１５のいずれかに記載の方法。
【請求項１７】
時間限定使用の場合にユーザは、証明のために自己の電子メール・アドレスを送信および／またはターゲット・グループのリンクの限られた可能性のみを受信する請求項１６記載の方法。
【請求項１８】
少なくとも１つの製品プロバイダ・システムと１つのビジネス・サービス・プロバイダ・システムとを含む異なるターゲット・グループをリンクするシステムにおいて、
（ａ）前記製品プロバイダ・システムと前記ビジネス・サービス・プロバイダ・システムとをリンクする交換ユニットと、
（ｂ）製品プロバイダ・システムおよび／またはビジネス・サービス・プロバイダ・システムにより交換ユニットに供給される情報規格化ユニットと、
（ｃ）規格化された情報をディスプレイするユニットと、
を含む異なるターゲット・グループをリンクするシステム。
【請求項１９】
前記情報規格化ユニットに対する準備のために第１のエージントが設けられた請求項１８記載のシステム。
【請求項２０】
前記製品プロバイダ・システムは、少なくとも２つの製品プロバイダを含み、前記製品プロバイダは、それぞれ少なくとも１つの製品を提供する請求項１８または１９記載のシステム。
【請求項２１】
前記ビジネス・サービス・プロバイダ・システムは、少なくとも２つのビジネス・サービス・プロバイダを含み、前記サービス・プロバイダは、テレビおよび映画業界のセクタでサービスを提供する請求項１８から２０のいずれかに記載のシステム。
【請求項２２】
前記ビジネス・サービス・プロバイダ・システムの前記ビジネス・サービス・プロバイダのために製品を適合させる請求項１８および２１に記載のシステム。
【請求項２３】
前記交換ユニットにより規定されたフォーマットにより規格化が行われる請求項１８および２２のいずれかに記載のシステム。
【請求項２４】
インターネットのホーム・ページまたは自己の通信ネットワークを介して規格化された情報がディスプレイされる請求項１８から２３いずれかに記載のシステム。
【請求項２５】
前記ビジネス・サービス・プロバイダおよび／または前記製品プロバイダは、前記第１のエージェントを介して情報を前記交換ユニットに供給する請求項１８から２４のいずれかに記載のシステム。
【請求項２６】
前記製品プロバイダ・システムおよび／または前記ビジネス・サービス・プロバイダ・システムにより作成された情報変化を、好ましくは、リアルタイムに近い時間的に極近くに表示する請求項１８から２４のいずれかに記載のシステム。
【請求項２７】
前記交換ユニットによりリンクするためのサーチ基準は、意味的なサーチ技術に基づく請求項１８から２６のいずれかに記載のシステム。
【請求項２８】
情報のディスプレイを個人固有またはユーザ固有および／またはサービス固有のフォームで指定する請求項１８から２７のいずれかに記載のシステム。
【請求項２９】
自動的および／またはダイナミック・ナビゲーションにより情報のディスプレイを決定できる請求項１８から２８のいずれかに記載のシステム。
【請求項３０】
情報を構成する製品およびサービスを選択および／または除外する入力手段により情報を規格化する請求項１８から２９のいずれかに記載のシステム。
【請求項３１】
前記入力手段は、タブ状をした情報の選択および／または除外に遭遇する請求項３０記載のシステム。
【請求項３２】
タブ要素の起動により選択および／または除外が行われる請求項１８または２９記載のシステム。
【請求項３３】
時間限定使用または永久使用を可能にするリンクを使用するための登録が提供される請求１８から３２のいずれかに記載のシステム。
【請求項３４】
時間限定使用の場合にユーザは、証明のために自己の電子メール・アドレスを送信および／またはターゲット・グループのリンクの限られた可能性のみを受信する請求項３３記載のシステム。
【発明の詳細な説明】
【０００１】
本発明は、異なるターゲット・グループをリンクする方法およびこの方法を実施する適当なシステムに関する。
【０００２】
情報のボリュームおよび密度が増加していることに起因し、ユーザおよび異なるターゲット・グループのための適当かつ必要な情報を探し割り当てることが次第に困難となっている。このことは、インターネットを使用する時に特に明らかである。インターネットを使用することは、利用可能なサーチ・エンジンによる所定量の情報の割り当てを確実にできるが、ヒット頻度の増加により、見つかったヒットに対する作業に時間がかかる状況となっており、サーチ・エンジンによる優先付けに関する所定の不確実性および情報の最適利用に関する不確実性が生じることが多い。
【０００３】
従って、本発明の目的は、異なるターゲット・グループをリンクする方法を開発すること、特にユーザに対し所定の確実性で簡単に情報を割り当てる本方法を実行する適当なシステムを開発することにある。
【０００４】
この目的は、請求項１に記載の特徴事項を備えた方法および請求項１８に記載の特徴事項を備えたシステムによって達成される。
【０００５】
本発明によれば、少なくとも１つの製品プロバイダ・システムと１つのビジネス・サービス・プロバイダ・システムとを含む異なるターゲット・グループをリンクする方法は、製品プロバイダ・システムとビジネス・サービス・プロバイダ・システムとをリンクする交換ユニットを利用する工程と、製品プロバイダ・システムおよび／またはビジネス・サービス・プロバイダ・システムにより交換ユニットに供給される情報を規格化する工程と、規格化された情報をディスプレイする工程とを有する。
【０００６】
この処置は、少なくとも１つの製品プロバイダ・システムと、１つのビジネス・サービス・プロバイダ・システムとから成る異なるターゲット・グループが適当なリンクにより情報を交換できるようにするものであり、規格化によい双方のターゲット・グループに対して信頼性が提供され、更に通信の共通ベースが形成される。これに関連し、この規格化は、特定のターゲット・グループにおいて、これらグループに関心のあることが提供され、特に特定のターゲット・グループのためのパーソナル化を実現できるような結果を生じさせるように働き得る。本発明に係る方法および本発明に係るシステムによれば、このパーソナル化は、可能な場合には異なるアクセス権によって適合できるターゲット・グループの関心に適応できるようにする。従って、正確には、ターゲット・グループの関心および権利に対応する情報が規格化された情報によってターゲット・グループに対してディスプレイされる。これに関連し、例えば、特定のターゲット・グループを混乱させ得る冗長な情報がディスプレイされないことを保証するために、特定のターゲット・グループが規格化された情報から一部のエリアを削除するような別の可能性も提供される。更に、規格化された情報から情報が選択されているにもかかわらず、異なるターゲット・グループを最適にリンクすることが可能となる。
【０００７】
本発明の別の有利な改良点は、従属クレームの目的にある。
【０００８】
例えば、製品プロバイダ・システムおよび／またはビジネス・サービス・プロバイダ・システムと交換ユニットとの間の情報フロー内に位置する第１のエージェントによって情報の規格化が実現された場合、例えば、製品プロバイダ・システムにより不完全または無秩序に編集された情報をターゲット・グループが処理するのに時間のかかる作業プロセスを経過する必要はない。第１のエージェントの別の利点は、情報を頻繁に処理することによって、所定のルーチンを確立し、よって情報のより効果的な処理または規格化を実現できるということである。
【０００９】
例えば、製品プロバイダ・システムが少なくとも２つのプロバイダから成り、プロバイダの各々が少なくとも１つの製品を提供している場合、製品プロバイダ・システムの識別コードが異なっていることにより、通常、ビジネス・サービス・プロバイダ・システムへのリンクを示さないビジネス・サービス・プロバイダ・システムにとって製品の選択を利用できる。
【００１０】
ビジネス・サービス・プロバイダ・システムがテレビおよび映画業界のセクタにサービスを提供する少なくとも２つのサービス・プロバイダを含む場合、更に別の利点が得られる。このように、外部のターゲット・グループにも製品プロバイダ・システムの製品を利用でき、これによってビジネス・サービス・プロバイダ・システムの生産性および営業が高まる。
【００１１】
ビジネス・サービス・プロバイダ・システムに製品が適合された場合、ビジネス・サービス・プロバイダ・システムが製品プロバイダ・システムに対し製品プロバイダ・システムを活用する確率が高くなる。
【００１２】
例えば、交換ユニットによって規定されたフォーマットにより情報が規格化された場合、例えば、既に存在する交換システムに復帰できる。
【００１３】
例えば、規格化システムがターゲット・グループに関連したインターネットのホーム・ページまたは一般的な通信ネットワークを通して、好ましくは、交換ユニットによりディスプレイされた場合、本願に係る方法またはシステムは、ほとんどの製品プロバイダ・システムまたはビジネス・サービス・プロバイダ・システムにアクセスできるので、異なる通信システムを個々に適応化しなくてもよい。例えば、いくつかの第１のエージェントを通して交換ユニットに情報が供給された場合、異なる情報を基に異なる第１のエージェントにより編集を最適に行うことができる。
【００１４】
製品プロバイダ・システムおよび／またはビジネス・サービス・プロバイダ・システムにより作成された情報の変化が交換ユニットにより、好ましくは、リアルタイムで時間的に極近くにディスプレイされた場合、ターゲット・グループが情報の正確性を確認できる可能性がある。
【００１５】
情報を構成する製品またはサービスの選択および／または除外を可能にする入力機能により更に情報の規格化を部分的に実行した場合、ユーザがリンクを望むか、またはヒットのディスプレイの受信をしたいすべての製品またはサービスを詳細にすることを強制されない状況を達成できるが、むしろ、製品または特定のサービス・プロバイダもしくは製品プロバイダの名称を指定することにより、ユーザは、リンクを望まない製品を明記できる。この対策によってユーザが簡単な手段により入力できる可能性が高まるので、排他項目に入らないが、概念全体に含まれるすべての製品またはサービスを自己にディスプレイすることがユーザに保証される。
【００１６】
更に、入力手段がタブ・フォーム状をした製品の選択および／または除外事項に遭遇した場合、ユーザは、製品またはサービスの選択および／または除外のための入力が一致しているかどうかを容易に整合できる。しかしながら、選択フィールドまたは除外フィールドのいずれかで情報の名称を指定することを認めない特定のデフォルトが存在する場合、この種の整合をシステムのバックグラウンド内で別個に進めることもできる。
【００１７】
いくつかのリンク演算の場合、コンテント、すなわち、製品またはサービスにより選択または除外フィールドの再入力を常にしなくてもよいようにするために、選択または除外フィールド内に一連の製品およびサービスの名称を挙げるようにすることができる。しかしながら、このフィールドは、所定リンク工程またはシステム内の設置のためのタブ要素を介してしか起動できない。更に、使用のための登録を限られた使用と永久使用にサブ分割することが有利である。このように、ユーザの管理を組織的に制御することができ、特にゲストの使用も認めることができる。特にシステムに精通することしかできず、全システムの管理に不必要な負荷をかけないようなゲスト使用を認めることもできる。
【００１８】
これに関し、ユーザが自己の電子メール・アドレスを証明目的のために送信し、このアドレスを基にユーザの信用性およびリターン潜在力をチェックできるようにする場合、時間限定使用の場合に、いわゆるゲスト使用は、有利となることが判明した。
【００１９】
次に、図面を参照し、ターゲット・グループをリンクする作動原理について詳細に説明する。
【００２０】
図１には交換ユニットが示されており、この交換ユニットは、製品プロバイダ・システム３とビジネス・サービス・プロバイダ・システム５とをリンクし、供給された情報をディスプレイするようになっている。例えば、異なる矢印によって個々にリンクできる可能性が表示されている。更に、第１のエージェント７が設けられており、これらエージェントの各々は、製品プロバイダ・システム３とビジネス・サービス・プロバイダ・システム５との間に位置する。図に示されるように、個々の第１のエージェントは、異なるエージェントでよく、これらエージェントは、部分的に専門化した規格化を実行できる。
【００２１】
図は、交換ユニット１内で提供された情報、例えば、ホームページによりディスプレイできることも示しており（太い矢印参照）、この実施例では計画された製造を表示した１つのホーム・ページを設け、紹介すべき製品を有する１つのホーム・ページを設ける可能性がある。図は、更にエージェントを介して交換ユニットにビジネス・サービス・プロバイダ・システムと製品プロバイダ・システムの双方のいくつかの製品を供給できることを示しており、これに関し、異なるビジネス・サービス・プロバイダは、１つのエージェントを通して交換ユニットに情報を与えるようにすることができる。
【００２２】
本願の方法およびシステムの作動態様に関し、例えば、段階付けされたアクセス権を使って、どのユーザも情報のすべてのコンテントを見ることができるわけではない。より詳細には、どのユーザもコンテントのすべてを必要とするわけではないことに留意すべきである。
【００２３】
この結果、ユーザまたは外部の第三者は、自己が関心を持つ情報のみを自己のディスプレイに受信するが、その自己が関心を持っている情報のすべてを見ることになる。ディスプレイのために引き出されたウェブ・サイトまたはホーム・ページがユーザの関心に適合され、ユーザのアクセス権を考慮した場合、これらウェブ・サイトまたはホーム・ページは、パーソナル化される。各ユーザは、自己のパーソナル・ウェブ・サイトを受信する。このように、本願に係る方法およびシステムを使用した時に、自己の関心に正しく対応する情報しか見ないように、ユーザの関心に関する状況が考慮される。通常の状況ではユーザが必要とし、ユーザが見たいと思い、かつ見ることができる申し込みを生じさせるメニューおよびボタンを設けることができる。別の有利な実施例では、重要でない情報が抽出される。このことは、対応する情報をほとんどの連続し収集を行う場合に有効である。
【００２４】
使用に対するユーザのポジションからアクセス権が決定される。このステータスは、個人固有、すなわち、ユーザ固有および／またはサービス固有のプロフィルとして記憶される。すなわち、ユーザが再びホーム・ページを呼び出すたびにディスプレイは、ユーザのプロフィルに順応する。別の有利な変形例は、自動的および／または動的なナビゲーションを行うことであり、このようなナビゲーションは、ホーム・ページを呼び出した瞬間にサイト・マップを設定することによって利用できる。更に、現在の構造がディスプレイされ、それに加えてユーザに対して最新情報のすべてが自動的に通知される。
【００２５】
従って、本願に係る方法およびシステムは、インターラクティブかつ個々の情報のプレゼンテーションの方法を開くものであり、ユーザは、情報をサーチするのではなく、情報を使用することに自己の時間を費やすことができる。
【００２６】
従って、更に本発明に係る方法およびシステムは、自動的に、いわゆる紹介を可能にするものである。すなわち、製品とサービスとを同じにし、これにより更に歩合計算および会計が可能となる。製品内に入れられたすべてのアイテムを組織的に直接管理することによってユニークな識別が可能となる。同様に、紹介者または紹介エージェントのための更新デバイスを設けたことにより、作者不明のデータ出力へのインターフェースが形成され、このように製品データ管理および流通データ管理を行うことができる。
【００２７】
図２は、紹介のインターラクティブな入力フィールド状をした入力手段を示す。特に、２つのフィールド、すなわち、選択フィールド１０と排他フィールド１２が設けられており、これらフィールドは、いくつかのインターラクティブな入力ボックスを含み、これら入力ボックスに所定の製品またはサービスを情報として入力できる。「すべき（Ｓｈｏｕｌｄ）」と表示された選択フィールド１０は、概念全体における再処理時に割り当てを行うことができるように、特定リンクのうちの識別ＩＤも含む。更に、特定の情報を有する追加入力ボックスも設けられており、このボックスにより情報の規格化を行うことができる。「できない（Ｍａｙ Ｎｏｔ）」と表示された排他フィールド１２は、選択フィールド１０に対応する入力ボックスを含むことが好ましく、これによって排他の可能性が明瞭に示される。これに関し、選択フィールド内の情報の選択に応じて全システムにより対応する排他フィールドを自動的に予め設定することもできるし、排他の可能性としてユーザにディスプレイできるようにすることも可能である。個々のフィールド、すなわち、選択フィールドおよび／または排他フィールドに入力した後に、入力ボックス「入れる（Ｐｌａｃｅ ｉｔ）」により全システムにその演算を送り、よって更に処理することができる。
【００２８】
段階付けされたアクセス権を使って使用エリアを公衆エリアと「登録された訪問（ｒｅｇｉｓｔｅｒｅｄ ｖｉｓｉｔ）」とにサブ分割するようにもできる。リンクが可能な時間とアクセス権とを結合したり、周期的に、好ましくは、変化できるように、全システムを使用するためのリンクができる期間をセットするようにすることもできる。基本的にはユーザが個人固有のエリアを形成し、このエリアにそのユーザしかアクセスできず、このエリアに基づき、時間ごとにユーザが自己のリンクの固有のステータスに関する情報を得ることができるようにすることもできる。従来の方法を含む種々の方法で交換ユニットにより規格化された情報をディスプレイすることができる。
【図面の簡単な説明】
【図１】
本願の方法およびシステムの作動態様の概略図である。
【図２】
本発明に係る方法およびシステムにおいて使用される入力手段を示す。
【図１】
2004517393.tif 000003
【図２】
2004517393.tif 000004
【国際公開パンフレット】
2004517393.tif 000005
2004517393.tif 000006
2004517393.tif 000007
2004517393.tif 000008
2004517393.tif 000009
2004517393.tif 000010
2004517393.tif 000011
2004517393.tif 000012
2004517393.tif 000013
2004517393.tif 000014
2004517393.tif 000015
2004517393.tif 000016
2004517393.tif 000017
2004517393.tif 000018
2004517393.tif 000019
【国際公開パンフレット（コレクトバージョン）】
2004517393.tif 000020
2004517393.tif 000021
【手続補正書】
【提出日】平成15年1月3日(2003.1.3)
【手続補正１】
【補正対象書類名】明細書
【補正対象項目名】特許請求の範囲
【補正方法】変更
【補正の内容】
【特許請求の範囲】
【請求項１】
少なくとも１つの製品プロバイダ・システムと１つのビジネス・サービス・プロバイダ・システムとを含む異なるターゲット・グループをリンクする方法において、
（ａ）製品プロバイダ・システムとビジネス・サービス・プロバイダ・システムとをリンクする交換ユニットを利用する工程と、
（ｂ）製品プロバイダ・システムおよび／またはビジネス・サービス・プロバイダ・システムにより前記交換ユニットに供給される情報を規格化する工程と、
（ｃ）製品プロバイダ・システムとビジネス・サービス・プロバイダ・システムとの間のリンクを基に規格化された情報を受信するユーザに規格化された情報をディスプレイする工程と、
を含む異なるターゲット・グループをリンクする方法。
【請求項２】
前記製品プロバイダ・システムおよび／または前記ビジネス・サービス・プロバイダ・システムと前記交換ユニットとの間に位置する第１のエージェントにより情報を規格化する請求項１記載の方法。
【請求項３】
前記製品プロバイダ・システムは、少なくとも２つの製品プロバイダを含み、前記製品プロバイダは、それぞれ少なくとも１つの製品を提供する請求項１または２記載の方法。
【請求項４】
前記ビジネス・サービス・プロバイダ・システムは、少なくとも２つのビジネス・サービス・プロバイダを含み、前記サービス・プロバイダは、テレビおよび映画業界のセクタでサービスを提供する請求項１から３のいずれかに記載の方法。
【請求項５】
前記ビジネス・サービス・プロバイダ・システムの前記ビジネス・サービス・プロバイダのために製品を適合させる請求項１から４のいずれかに記載の方法。
【請求項６】
前記交換ユニットにより規定されたフォーマットにより規格化が行われる請求項１から５のいずれかに記載の方法。
【請求項７】
インターネットのホームページまたは自己の通信ネットワークを介して規格化された情報をディスプレイする請求項１から６のいずれかに記載の方法。
【請求項８】
前記ビジネス・サービス・プロバイダおよび／または前記製品プロバイダは、いくつかの第１のエージェントを介して情報を交換ユニットに供給する請求項１から７のいずれかに記載の方法。
【請求項９】
前記製品プロバイダ・システムおよび／または前記ビジネス・サービス・プロバイダ・システムにより作成された情報変化を、好ましくは、リアル・タイムで時間的に極近くに表示する請求項１から８のいずれかに記載の方法。
【請求項１０】
前記交換ユニットによりリンクするためのサーチ基準は、語義によるサーチ技術に基づくものである請求項１から９のいずれかに記載の方法。
【請求項１１】
情報のディスプレイを個人固有、すなわち、ユーザ固有および／またはサービス固有のフォームで指定する請求項１から１０のいずれかに記載の方法。
【請求項１２】
自動的および／またはダイナミック・ナビゲーションにより情報のディスプレイが決定される請求項１から１１のいずれかに記載の方法。
【請求項１３】
情報を構成する製品およびサービスを選択および／または除外する入力手段により情報を規格化する請求項１から１２のいずれかに記載の方法。
【請求項１４】
前記入力手段は、タブ状をした情報の選択および／または除外に遭遇する請求項１３記載の方法。
【請求項１５】
タブ要素の起動により選択および／または除外が行われる請求項１３または１４記載の方法。
【請求項１６】
時間限定使用または永久使用を可能にするリンクを使用するための登録を提供する請求項１から１５のいずれかに記載の方法。
【請求項１７】
時間限定使用の場合にユーザが証明のために自己の電子メール・アドレスを送信および／またはターゲット・グループのリンクの限られた可能性のみを受信する請求項１６記載の方法。
【請求項１８】
少なくとも１つの製品プロバイダ・システムと１つのビジネス・サービス・プロバイダ・システムとを含む異なるターゲット・グループをリンクするシステムにおいて、
（ａ）製品プロバイダ・システムとビジネス・サービス・プロバイダ・システムとをリンクする交換ユニットと、
（ｂ）製品プロバイダ・システムおよび／またはビジネス・サービス・プロバイダ・システムにより前記交換ユニットに供給される情報のための規格化ユニットと、
（ｃ）製品プロバイダ・システムとビジネス・サービス・プロバイダ・システムとの間のリンクを基に規格化された情報を受信するユーザに規格化された情報をディスプレイするディスプレイ・ユニットと、
を含む異なるターゲット・グループをリンクするシステム。
【請求項１９】
前記情報規格化ユニットに対する準備のために第１のエージェントが設けられた請求項１８記載のシステム。
【請求項２０】
前記製品プロバイダ・システムは、少なくとも２つの製品プロバイダを含み、前記製品プロバイダは、それぞれ少なくとも１つの製品を提供する請求項１８または１９記載のシステム。
【請求項２１】
前記ビジネス・サービス・プロバイダ・システムは、少なくとも２つのビジネス・サービス・プロバイダを含み、前記サービス・プロバイダは、テレビおよび映画業界のセクタでサービスを提供する請求項１８から２０のいずれかに記載のシステム。
【請求項２２】
前記ビジネス・サービス・プロバイダ・システムの前記ビジネス・サービス・プロバイダのために製品を適合させる請求項１８および２１に記載のシステム。
【請求項２３】
前記交換ユニットにより規定されたフォーマットにより規格化が行われる請求項１８および２２のいずれかに記載のシステム。
【請求項２４】
インターネットのホームページまたは自己の通信ネットワークを介して規格化された情報をディスプレイする請求項１８から２３のいずれかに記載のシステム。
【請求項２５】
前記ビジネス・サービス・プロバイダおよび／または前記製品プロバイダは、いくつかの第１のエージェントを介して情報を前記交換ユニットに供給する請求項１８から２４のいずれかに記載のシステム。
【請求項２６】
前記製品プロバイダ・システムおよび／または前記ビジネス・サービス・プロバイダ・システムにより作成された情報変化を、好ましくは、リアル・タイムで近い時間的に極近くに表示する請求項１８から２４のいずれかに記載のシステム。
【請求項２７】
前記交換ユニットによりリンクするためのサーチ基準は、意味的なサーチ技術に基づく請求項１８から２６のいずれかに記載のシステム。
【請求項２８】
情報のディスプレイを個人固有、すなわち、ユーザ固有および／またはサービス固有のフォームで指定する請求項１８から２７のいずれかに記載のシステム。
【請求項２９】
自動的および／またはダイナミック・ナビゲーションにより情報のディスプレイが決定される請求項１８から２８のいずれかに記載のシステム。
【請求項３０】
情報を構成する製品およびサービスを選択および／または除外する入力手段により情報を規格化する請求項１８から２９のいずれかに記載のシステム。
【請求項３１】
前記入力手段は、タブ状をした情報の選択および／または除外に遭遇する請求項３０記載のシステム。
【請求項３２】
タブ要素の起動により選択および／または除外が行われる請求項１８または２９記載のシステム。
【請求項３３】
時間限定使用または永久使用を可能にするリンクを使用するための登録を提供する請求１８から３２のいずれかに記載のシステム。
【請求項３４】
時間限定使用の場合にユーザが証明のために自己の電子メール・アドレスを送信および／またはターゲット・グループのリンクの限られた可能性のみを受信する請求項３３記載のシステム。
【国際調査報告】
2004517393.tif 000022
2004517393.tif 000023
2004517393.tif 000024
2004517393.tif 000025
2004517393.tif 000026
2004517393.tif 000027